(57)【特許請求の範囲】
【請求項１】
計量機（４）および屋外用データ入出力装置（５）を一体のハウジングに組み込み給油エリア（１）に設けられた複数台の給油装置（３）と、前記給油装置（３）に組込まれた計量機（４）および屋外用データ入出力装置（５）に信号線（１０）で接続されて管理エリア（８）に設けられた屋内用データ入出力装置（９）とより構成され、そして前記屋外用データ入出力装置（５）にプロトコル変換手段（５Ｇ）が設けられた給油データ処理システムにおいて、前記屋外用データ入出力装置（５）には責任者の操作により有効となる前記プロトコル変換手段（５Ｇ）の設定モードが設けられ、さらに前記屋外用データ入出力装置（５）に接続された貨幣処理機（６）が給油装置（３）に設けられ、前記屋内用データ入出力装置（９）からの精算データをプロトコル変換手段（５Ｇ）に設定されているプロトコルで変換して入力されそして精算データに基づいて売上金額を前記貨幣処理機（１）に出力する制御装置（５Ｆ）が設けられ、その制御装置（５Ｆ）は前記責任者の操作により有効となる設定モードにすると前記プロトコル変換手段（５Ｇ）に格納されている各種のプロトコルが表示され、前記屋外用データ入出力装置（５）が屋内用データ入出力装置（９）と通信するためのプロトコルに試験データが変換されて一時記憶手段（５Ｈ）に記憶され、その一時記憶手段（５Ｈ）に記憶された試験データは屋内用データ入出力装置（９）からのポーリング信号により送受信手段（５Ｉ）を介して出力されて通信の可否が検出され、可である場合に正常設定が表示される機能を有することを特徴とする給油データ処理システム。
【発明の詳細な説明】
【０００１】
【発明の属する技術分野】
本発明は、自動車へ燃料油を供給する給油所の給油データ処理システムに関するものである。
【０００２】
【従来の技術】
自動車へ燃料油を供給する給油所では、給油エリアに複数台の計量機及び数台の計量機に兼用される屋外用データ入出力装置が設けられ、建屋内の管理エリアに屋内用データ入出力装置が設けられている。そして、計量機及び屋外用データ入出力装置と屋内用データ入出力装置は信号線で接続され、データの授受がおこなわれるようになっている。このように屋外用データ入出力装置が数台の計量機に兼用されているので、給油作業の動線が長くなり、作業効率が悪い不都合がある。そこで、計量機と屋外用データ入出力装置を一体のハウジングに組み込んだ給油装置が普及しつつある。ところで、計量機と屋内用データ入出力装置とのプロトコルは業界で規定されいるが、屋外用データ入出力装置と屋内用データ入出力装置とのプロトコルは業界で規定されていないために、メーカが異なると両者間のデータの授受ができないことがある。また、給油装置のメーカでは屋内用データ入出力装置のプロトコルに合わせて屋外用データ入出力装置を製造しなければならず、多種少量生産となりコストアップとなっている。
【０００３】
【発明が解決しようとする課題】
本発明は上述した様な従来技術の問題点に鑑みて提案されたものであり、どのようなプロトコルの屋内用データ入出力装置にも対応でき、プロトコルを気にすることなしに大量に安く生産することができる給油装置を構成要素とした給油データ処理システムを提供することを目的としている。
【０００４】
【課題を解決するための手段】
本発明によれば、計量機（４）および屋外用データ入出力装置（５）を一体のハウジングに組み込み給油エリア（１）に設けられた複数台の給油装置（３）と、前記給油装置（３）に組込まれた計量機（４）および屋外用データ入出力装置（５）に信号線（１０）で接続されて管理エリア（８）に設けられた屋内用データ入出力装置（９）とより構成され、そして前記屋外用データ入出力装置（５）にプロトコル変換手段（５Ｇ）が設けられた給油データ処理システムにおいて、前記屋外用データ入出力装置（５）には責任者の操作により有効となる前記プロトコル変換手段（５Ｇ）の設定モードが設けられ、さらに前記屋外用データ入出力装置（５）に接続された貨幣処理機（６）が給油装置（３）に設けられ、前記屋内用データ入出力装置（９）からの精算データをプロトコル変換手段（５Ｇ）に設定されているプロトコルで変換して入力されそして精算データに基づいて売上金額を前記貨幣処理機（１）に出力する制御装置（５Ｆ）が設けられ、その制御装置（５Ｆ）は前記責任者の操作により有効となる設定モードにすると前記プロトコル変換手段（５Ｇ）に格納されている各種のプロトコルが表示され、前記屋外用データ入出力装置（５）が屋内用データ入出力装置（９）と通信するためのプロトコルに試験データが変換されて一時記憶手段（５Ｈ）に記憶され、その一時記憶手段（５Ｈ）に記憶された試験データは屋内用データ入出力装置（９）からのポーリング信号により送受信手段（５Ｉ）を介して出力されて通信の可否が検出され、可である場合に正常設定が表示される機能を有している。
【０００５】
そして、前記屋外用データ入出力装置に前記プロトコル変換手段の設定モードが設けられ、該設定モードは責任者操作により有効となるので、責任者以外はプロトコルの設定操作することができず、プロトコルを誤設定してデータの管理ができなくなるようなことがなくなる。
【０００６】
また、前記計量機に貨幣処理機を設け、該貨幣処理機を前記屋外用データ入出力装置に接続したので、給油料金の精算処理がスムーズにおこなわれ、釣り銭を間違えることがなくなる。
【０００７】
【発明の実施の形態】
以下、添付図面を参照して、本発明の実施の形態を説明する。図１に示す様に、給油所の給油エリア１には複数のアイランド２、２・・・が形成され、各アイランド２上に設けられた給油装置３には、計量機４と、屋外用データ入出力装置５と、屋外用データ入出力装置５に接続された貨幣処理機６が組み込まれている。そして、建屋７内の管理エリア８には、屋内用データ入出力装置９が設けられ、計量機４及び屋外用データ入出力装置５と屋内用データ入出力装置９とは信号線１０で接続されている。
【０００８】
図２、３に示すように、給油装置３に組み込まれている計量機４は複数の給油機構４Ａ、４Ｂ、４Ｃで構成され、屋内用データ入出力装置９から給油許可信号を受けて給油制御装置４Ｄは、計量機４を給油可能状態にする。そして、計量機４で給油された給油量は表示器４Ｅに表示され、給油データが屋内用データ入出力装置９へ送られるようになっている。なお、計量機４の各給油機構４Ａ、４Ｂ、４Ｃの給油ノズル４ａ、４ｂ、４ｃからはそれぞれ、ハイオク、レギュラ−、軽油が給油できるようになっている。
【０００９】
給油装置３に組み込まれている屋外用データ入出力装置５には、錠５Ａ、カードリーダ５Ｂ、タッチパネル５Ｃ、プリンタ−５Ｄなどが設けられている。そして、給油所に新たに設置された場合には、責任者鍵５Ｅで錠５Ａを回して制御装置５Ｆを設定モードにし、プロトコル変換手段５Ｇに格納されている所望のプロトコルをタッチパネルで設定すると、試験データがプロトコル変換手段５Ｇに設定されたプロトコルで変換されて一時記憶手段５Ｈに記憶される。この、一時記憶手段５Ｈに記憶された試験データは、ポ−リング信号により送受信手段５Ｉを介して屋内用データ入出力装置９へ出力され、通信の可否が検査されるようになっている。
【００１０】
【００１１】
また、営業中に於いては、カードリーダ５Ｂ及びタッチパネル５Ｃで設定された設定データは、プロトコル変換手段５Ｇに設定されているプロトコルで変換されて一時記憶手段５Ｈに記憶される。この一時記憶手段５Ｈに記憶された設定データは、ポ−リング信号により送受信手段５Ｉを介して屋内用データ入出力装置９へ出力される。そして、屋内用データ入出力装置９から受けた精算データは、プロトコル変換手段５Ｇに設定されているプロトコルで変換されて制御装置５Ｆに入力し、精算データに基づいてプリンタ−５Ｄから給油伝票を発行し、売上金額を貨幣処理機６に出力するようになっている。
【００１２】
屋外用データ入出力装置５に接続された貨幣処理機６には、貨幣投入口６Ａ及び釣り銭放出口６Ｂが設けられている。そして、貨幣投入口６Ａに投入した預かり金額から屋外用データ入出力装置５から入力した売上金額を減算し、釣り銭を釣り銭放出口６Ｂから放出するようになっている。
【００１３】
屋内用データ入出力装置９はいわゆるポスが使用され、計量機４及び屋外用データ入出力装置５とはポ−リング方式で通信するようになっている。そして、屋外用データ入出力装置５から試験データを受けて通信の可否が検査され、その結果を屋外用データ入出力装置５へ出力するようになっている。また、屋外用データ入出力装置５で設定された設定データを受けて計量機４へ給油許可信号を出力し、計量機４から給油データを受けて屋外用データ入出力装置５へ精算データを出力し、これらのデータを管理するようになっている。
【００１４】
次に図４のフロー図に基づいて、本発明の給油データ処理システムの動作を説明する。新たな給油装置３を給油所に設置した場合は、計量機４及び屋外用データ入出力装置５を屋内用データ入出力装置９に信号線１０で接続する。
【００１５】
そして、屋外用データ入出力装置５の鍵穴５Ａに責任者鍵５Ｅを挿入して設定モードにすると（ＳＴ１）、プロトコル変換手段５Ｇに格納されている各種のプロトコルがタッチパネル５Ｃに表示される（ＳＴ２）。この屋外用データ入出力装置５が屋内用データ入出力装置９と通信するためのプロトコル、例えばプロトコルＢの部分のタッチパネル５Ｃを押すと（ＳＴ３）、試験データがプロトコル変換手段５ＧのプロトコルＢで変換されて一時記憶手段５Ｈに記憶される（ＳＴ４）。一時記憶手段５Ｈに記憶された試験データは屋内用データ入出力装置９からのポ−リング信号により送受信手段５Ｉを介して出力され、屋内用データ入出力装置９で通信の可否が検査される。そして、可である場合には正常通信信号が送られてきて（ＳＴ５）、タッチパネル５Ｃに正常設定が表示がされる（ＳＴ６）。また、設定が否である場合には一定時間経過しても正常通信信号が送られてこないので（ＳＴ７）、プロトコル変換手段５Ｇに格納されているプロトコルがタッチパネル５Ｃに再び表示され（ＳＴ２）、再設定することとなる。このように設定されたプロトコルは、次に設定されるまで変更することはない。
【００１６】
なお、上述した実施の形態では鍵穴５Ａに責任者鍵５Ｅを挿入して設定モードにしているが、責任者カードをカードリーダ５Ｂで読み取って設定モードにしたり、タッチパネル５Ｃからコードを入力して設定モードにしたり、責任者鍵で操作される押し釦で設定モードにしてもよい。
【００１７】
そして、給油所の営業中に於いて自動車へ給油をするには、カードリーダ５Ｂで顧客カードを読み取り、タッチパネル５Ｃで油種、例えばハイオク及び油量などを設定すると、これらの設定データはプロトコル変換手段５ＧのプロトコルＢで変換され一時記憶手段５Ｈに記憶され、屋内用データ入出力装置９からのポ−リング信号により送受信手段５Ｉを介して出力される。そして、屋内用データ入出力装置９から給油許可信号が計量機４へ出力され、ハイオクの給油機構４Ａは給油可能状態になる。給油機構４Ａの給油ノズル４ａから給油された給油量は制御装置４Ｄで演算されて表示器４Ｅに表示され、給油が終わると給油データは屋内用データ入出力装置９へ出力され、屋内用データ入出力装置９から屋外用データ入出力装置５へ精算データが出力される。この精算データはプロトコル変換手段５ＧのプロトコルＢで変換され、精算データを印字した給油伝票がプリンタ−５Ｄから発行され、売上金額が貨幣処理機６に出力される。
【００１８】
次に、貨幣処理機６の貨幣投入口６Ａへ預かり金額を投入すると、預かり金額から売上金額を減算した釣り銭が釣り銭放出口６Ｂから放出される。そして、上述した各データは、屋内用データ入出力装置９で管理される。
【００１９】
なお、図示の実施の形態はあくまでも例示であり、本発明の技術的範囲を限定する趣旨ではない旨を付記する。
【００２０】
【発明の効果】
以上のように本発明は、給油エリアに設けられ、計量機及び屋外用データ入出力装置を一体のハウジングに組み込んだ給油装置の複数台と、管理エリアに設けられ、給油装置に組み込まれた計量機及び屋外用データ入出力装置に信号線で接続された屋内用データ入出力装置とより構成された給油データ処理システムにおいて、前記屋外用データ入出力装置にプロトコル変換手段が設けられているので、給油装置はどのようなプロトコルの屋内用データ入出力装置にも対応でき、プロトコルを気にすることなしに給油装置を大量に安く生産することができるようになる。
【図面の簡単な説明】
【図１】本発明の給油データ処理システムを実施した給油所の平面図である。
【図２】本発明の給油データ処理システムの構成図である。
【図３】本発明の給油データ処理システムのブロック図である。
【図４】屋外用データ入出力装置のフロー図である。
【符号の説明】
１・・・給油エリア
２・・・アイランド
３・・・給油装置
４・・・計量機
４Ａ、４Ｂ、４Ｃ・・・給油機構
４ａ，４ｂ，４ｃ・・・給油ノズル
４Ｄ・・・給油制御手段
４Ｅ・・・表示器
５・・・屋外用データ入出力装置
５Ａ・・・錠
５Ｂ・・・カードリーダ
５Ｃ・・・タッチパネル
５Ｄ・・・プリンタ−
５Ｅ・・・責任者鍵
５Ｆ・・・制御手段
５Ｇ・・・プロトコル変換手段
５Ｈ・・・一時記憶手段
５Ｉ・・・送受信手段
６・・・貨幣処理機
６Ａ・・・貨幣投入口
６Ｂ・・・釣り銭放出口
７・・・建屋
８・・・管理エリア
９・・・屋内用データ入出力装置
１０・・・信号線
【図１】
0003620576.tif 000002
【図２】
0003620576.tif 000003
【図３】
0003620576.tif 000004
【図４】
0003620576.tif 000005